(57)【特許請求の範囲】
【請求項１】
支持棒に支持された本体の先端に煙感知器を覆うカバーを取付け、前記本体の下部に着脱自在に取付けられたガスボンベのノズルを内部に突出させて、該ガスボンベの弁を開放して封入ガスを前記本体内に噴出させて煙感知器の作動を試験する煙感知器用作動試験器において、
前記ガスボンベの括れ部を挟持する着脱機構を設け、該着脱機構に、相互的に嵌合構造に構成された取付基板と回転リングとの摺動面に放射状に介装された複数の摺動カムを備えたことを特徴とする煙感知器用作動試験器。
【発明の詳細な説明】
【０００１】
【発明の属する技術分野】
本発明は、煙感知器用作動試験器に関するものである。
【０００２】
【従来の技術】
図９は従来の煙感知器用作動試験器の構成説明図で、実公昭６０−５４３７号公報記載の従来装置が示されている。
図９において、１は試験器本体、２はカバー、３は嵌合凹部、４はガスボンベ、５はＵ字形のボンベ支持金具である。ガスボンベ４は上部を嵌合凹部３に嵌合し、ボンベ支持金具５によって支えられている。７は操作板、８はシャフト、９はシャフト８の長さ方向の孔、１０は径方向の孔である。また、１３は伸縮可能な操作棒、１４は煙感知器である。
【０００３】
図９のような構成の作動試験器において、操作棒１３を伸長して操作し、天井に取りつけられた煙感知器１４にカバー２をかぶせ、押しつけると、鎖線で示したようにカバー２は収縮し、煙感知器（報知器）１４が操作板７に当接し、これを押し下げ、ボンベ４からフレオンガスが噴出し、孔９，１０を通って本体１内に放出され、これを煙感知器（報知器）１４が感知するか否かを試験するのである。
【０００４】
【発明が解決しようとする課題】
図９に示された従来の作動試験器は上記のように、ガスボンベ４が上部を嵌合凹部３に嵌合し、ボンベ支持金具５によって支えられている。ボンベ支持金具５の支持について特別な説明はないが、普通はボンベ支持金具５の底辺部に螺合する押しネジが使われる。したがって、短いガスボンベ４を使うようなときは、その都度押しネジを回して捩じ込み長さを調節しなければならず操作が極めて面倒になる。ガスボンベ４と押しネジの間にスペーサを挿入することも考えられるが、ガスボンベ４の固定が不安定になり易い。
【０００５】
また、操作板７を天井の煙感知器１４に接触させてフレオンガスを放出させるようになっているので、ガスの吹き出し操作に押付け力を加えることが必要になる。したがって、床面側のレイアウト等の都合で操作棒１３を傾けて試験するような場合は、先端に重いガスボンベ４を付けた操作棒１３を支えながら押付けなければならない。特に、体育館のような高い天井の煙感知器１４を側壁中段の渡廊下から試験するようときは、殆ど水平に近い角度に突出した操作棒１３を支えるだけでも困難になる等の問題点があった。
【０００６】
本発明は、このような従来の作動試験器の問題点を解消するためになされたもので、ボンベの大きさに無関係に作動試験器に着脱することができ、しかも簡単なガスの放出操作でテストができる煙感知器用作動試験器を実現することを目的とするものである。
【０００７】
この発明は、支持棒に支持された本体の先端に煙感知器を覆うカバーを取付け、本体の下部に着脱自在に取付けられたガスボンベのノズルを内部に突出させて、ガスボンベの弁を開放して封入ガスを本体内に噴出させて煙感知器の作動を試験する煙感知器用作動試験器において、ガスボンベの括れ部を挟持する着脱機構を設け、この着脱機構に、相互的に嵌合構造に構成された取付基板と回転リングとの摺動面に放射状に介装された複数の摺動カムを備えたものである。
【０００９】
着脱機構の回転リングを、収縮バネの収縮力に逆らって指示方向に回転する。回転リングの回転で、今まで本体の装着孔の内周面に露出していた摺動カムの円弧爪が引っ込む。このとき、本体の下方からガスボンベの先端を、装着孔に挿入する。そのまま、回転リングから手を離すと収縮バネの収縮力が働いて、摺動カムが放射状の摺動溝に沿って求心方向に摺動する。そして、求心方向に摺動した３つの摺動カムが、ガスボンベの括れ部を挟持して本体にロックする。使用済みのガスボンベは、逆の操作で取り外される。
【００１０】
作動試験を実施するときは、試験装置の把持棒を把持して、煙感知器の本体の取付位置の真下から本体を天井面に向けて差し上げる。その際、試験装置の開口部と煙感知器の吸煙部との相対位置を一致させて、吸煙部を包囲筒の内部に挿入させる。そして、包囲筒の上面が天井面に接触すると、煙感知器の本体の吸煙部が包囲筒にほぼ完全に包囲されることになる。
【００１１】
吸煙部を包囲筒で包囲した状態で、把持棒の手元まで引き出されたワイヤを操作してガスボンベからガスを噴出させる。噴出した封入ガスは、吸煙部の流入口から煙感知器内に流入し、火災の発生時に対応した動作が疑似的に行われることになる。このような疑似煙を用いた動作テストの結果、煙感知器の正常又は異常が確認される。
【００１２】
【発明の実施の形態】
実施形態１．
以下、この発明の実施形態を、図面を用いて説明する。
図１はこの発明の実施形態１を半截図で示した構成説明図、図２は図１の一部の側面図、図３は図２の上面図である。
図１乃至３において、１は試験器、２はその本体である。３は本体２における取付基板、４は回転リング、５は板状の摺動カム（図５，６参照）である。４０は取付基板３の外周面面に沿って配置された収縮バネで、両端が取付基板３と回転リング４に固定されて回転リング４に常時収縮する方向の回転力を加えている。取付基板３と回転リング４等により後で述べるガスボンベの着脱機構Ｂが構成され、詳細な構造が図４〜６に示されている。
【００１３】
図示のように取付基板３と回転リング４は断面が凸形と凹形の嵌め合い構造に構成され、摺動面に摺動カム５を介装して取付基板３の凸部３１が回転リング４の凹部４１に遊嵌されている。３２は取付基板３の中心の装着孔、３３は上面に放射状に形成された３個の摺動溝、３４と３５ははネジ孔である。また、４２は回転リング４の凹部４１にほぼ９０度の角範囲に亘って形成された３筋の螺旋状の溝である。
【００１４】
また、５１は摺動カム５に穿設された圧入孔、５２は圧入孔５１に圧入されるピン、５３は円弧爪である。そして、３個の摺動カム５がピン５２を螺旋溝４２に嵌入して、円弧爪５３を軸心に向い合わせて摺動溝３３内に摺動可能に介装されている。６は有底円筒状の包囲筒、７は作動枠である。包囲筒６の底面の中心孔６１の回りには、内側に膨出した２段階の膨出部６２が形成されて側面には縦溝６３等が穿設されている（図７）。
【００１５】
包囲筒６は３個のネジ孔３４に螺合する固定ネジにより、取付基板３に固定されている。また、作動枠７は三角形の保持板７１と、保持板７１の各角部に立設した３本の支柱７２と、支柱７２の上端に固定されたリング７３および保持板７１の中心部に固定され縦溝６３より高く突出したノズル７４を有する挿入筒７５で構成されている。この作動枠７は挿入筒７５を包囲筒６の膨出部６２に挿入して、上下方向に移動可能に連結されている。
【００１６】
８は作動杆、８０は前記取付基板３のネジ孔３５に捩じ込まれて包囲筒６内に固定されたスタッドである。作動杆８には図８に示すように円環部８１の左右にアーム８２，８３を設けた金属薄板の打抜き材が使われて、作動アーム８３側の先端を９０度捻り曲げ加工して作られている。８４と８５は支持孔と結線孔で、支持アーム８２と作動アーム８３に設けられている。
【００１７】
作動杆８の支持アーム８２はスタッド８０に支持され、円環部８１を包囲筒６の膨出部６２に対向させて作動枠７の保持板７１上に載置されている。垂直方向に捻り曲げされた作動アーム８３を、包囲筒６の側壁に形成した縦溝６３に挿通させて先端を外部に延長させている。延長された作動アーム８３の結線孔８５には、次に説明するワイヤｗが結線される。円環部８１と両側の支持孔８４と結線孔８５までのアームの長さＬ１  とＬ２  のレバー比ｒ＝Ｌ２  ／Ｌ１  を選定することにより、弁の開閉に要する操作力を任意に設定することができる。
【００１８】
９は包囲筒６の上部に設けられたカバーである。カバー９には弾性を有する樹脂材等が用いられて、先端に伸縮自在で僅かに先細りで凹凸が小刻みになる蛇腹９１が形成されている。１０はコ字形の支え金具、１１は例えば３段伸縮形の支持棒、１２は連結板である。
【００１９】
また、１３は包囲筒６の外周に固着された補強板、１４は取付ネジ、１５は蝶ナットで、それぞれ２個づつ設けられている。そして、支え金具１０の開放端は取付ネジ１４に支えられて、蝶ナット１５で任意の角度で固定される。１６はガスボンベ、１７はガスボンベ１６の弁である。図２の２点鎖線で示されたｗはワイヤで、作動アーム８３の結線孔８５に繋がれていて、支持棒１１の長さ方向に沿って手元の把持部付近まで引き出されている。
【００２０】
このような構成の本発明実施形態１の動作を、次に説明する。
平常状態においては、回転リング４が収縮バネ４０の弾性力を受けて、摺動カム５が図５の２点鎖線で示すように求心側の位置に保持されている。ここで、図１の中抜き矢印の表示に従い、回転リング４を収縮バネ４０の収縮力に逆らって回転すると、各ピン５２が対応する螺旋溝４２に押されて３個の摺動カム５が摺動溝３３内で遠心方向に摺動する。
【００２１】
このため、３個の摺動カム５の円弧爪５３の隙間が広げられて、装着孔３２が開放される。開放された装着孔３２にガスボンベ１６の先を差込んでから回転リング４の保持を緩めると、収縮バネ４０の弾性力で自動的に円弧爪５３の間隔が狭められる。この結果、括れ部が３方向から円弧爪５３に挟着されて、ガスボンベ１６が本体２に取り付けられる（図１，２）。
【００２２】
作動試験を実施するときは、先ず３段式の支持棒１１の長さを天井に届くように調節する。調節した支持棒１１を把持して、煙感知器の取付位置の真下から試験器１を天井面に向けて真上に差し上げる。その際、試験器１と煙感知器との中心の相対位置を一致させる。そして、カバー９の上面が天井面に接触すると蛇腹９１が幾分収縮して、煙感知器の吸煙部がカバー９にほぼ完全に包囲されることになる（図９参照）。
【００２３】
煙感知器を本体２で包囲した状態で作動枠７のリング７３が天井に突出している煙感知器に接して押し下げられると、支柱７２を介して保持板７１が挿入筒７５を押し下げる。これによってノズル７４が押し下げられ、ガスボンベ１６の弁１７が開いてノズル７４からガスが噴出する。噴出ガスの疑似煙が吸煙部から煙感知器内に流入して、火災の発生時に対応した動作が模擬的に行われることになる。このような疑似煙を用いた発報テストの結果、煙感知器の動作の正常又は異常が確認される。
【００２４】
一方、前述の高天井に煙感知器を取付けた体育館のように、渡り廊下から支持棒を斜め方向に持ち上げて試験を行うような場合もある。この場合は、蝶ナット１５を緩めて、支持棒１１の差出し角度に合わせて本体２に対する支持棒１１の角度を定めてからロックする。渡り廊下から支持棒１１を斜めに差出し、前記と同様にカバー９で煙感知器の吸煙部を包囲する。
【００２５】
ここで、支持棒１１の手元まで引出されたワイヤｗを引くと、片持ち梁型の作動杆８がスタッド８０を支点に図２の実線の位置から２点鎖線の位置に変位する。作動杆８が変位すると円環部８１が保持板７１を押し下げ、挿入筒７５とノズル７４が押し下げられてガスボンベ１６の弁１７が開いてノズル７４からガスが噴出する。前述した体育館の天井に取付けられた煙感知器についても、同様の操作で作動試験が行われる。
【００２６】
上記ワイヤｗを使ったガスの噴出操作において、作動杆８は９０度捻り曲げしたの作動アーム８３をノズル７４より低く幅の狭い縦溝６３を通して外側に延設されている。したがって、ガスの漏洩を押さえながらレバー比ｒ＝Ｌ２  ／Ｌ１  を大きく、かつ任意の大きさに選ぶことができる。このため、ガスボンベ１６のガスの噴出操作を、極めて僅かな引張り力をワイヤｗに加えるだけで容易かつ経済的に実施することができる。
【００２７】
他の実施形態
なお、上述した本発明の実施形態１では火災感知器を天井に取付けた場合を例示して説明したが、天井以外の側壁等の場合にも本発明を適用することができる。また、円形の包囲筒の開口に蛇腹を形成したカバーを取付けたが、カバー或いはカバーと包囲筒は四角形や五角形等の多角筒形のものを用いてもよい。さらに、実施形態では作動枠とワイヤとの併用操作でガスボンベのガスを噴出させたが、いずれか一方で噴出操作させるようにしてもよい。
【００２８】
この場合、ワイヤを連結した作動杆の上下動を利用して、直接ガスボンベの弁を開閉するワイヤによる単一操作型の作動試験器構成することができる。このように構成すれば、動作時間が短縮されるばかりか保持板や複数の支柱等からなる作動枠がなくなり、内部構造が簡素化されて小型で製作費が安価な作動試験器が実現できる特徴がある。
【００２９】
【発明の効果】
この発明は、支持棒に支持された本体の先端に煙感知器を覆うカバーを取付け、本体の下部に着脱自在に取付けられたガスボンベのノズルを内部に突出させて、ガスボンベの弁を開放して封入ガスを本体内に噴出させて煙感知器の作動を試験する煙感知器用作動試験器において、ガスボンベの括れ部を挟持する着脱機構を設け、この着脱機構に、相互的に嵌合構造に構成された取付基板と回転リングとの摺動面に放射状に介装された複数の摺動カムを備えた。
【００３０】
この結果、従来のように短いガスボンベを使うときに押しネジを回して捩じ込み長さを調節することもなく、ガスボンベの取替え操作が極めて簡単になる。また、隙間にスペーサを挿入することもなくなるので、ガスボンベの固定が不安定になることもない。しかも、ガスボンベを装着孔に挿入してから回転リングを離せば、収縮バネの収縮力で自動的に摺動カムがガスボンベの括れ部を挟持して固定するので、操作が容易で固定も確実になる。
【００３３】
よって、本発明によれば、ボンベの大きさに無関係に作動試験器に着脱することができ、しかも簡単なガスの放出操作で発報テストができる煙感知器用作動試験器を提供することができる。
【図面の簡単な説明】
【図１】この発明の実施形態の構成説明図である。
【図２】図１の一部の側面図である。
【図３】図２の上面図である。
【図４】この発明の実施形態の取付基板の構造を示す説明図である。
【図５】この発明の実施形態の回転リングの構造を示す説明図である。
【図６】この発明の実施形態の摺動カムの構造を示す説明図である。
【図７】この発明の実施形態の包囲筒の構造を示す説明図である。
【図８】この発明の実施形態の作動杆の構造を示す説明図である。
【図９】従来の煙感知器用作動試験器の断面図である。
【符号の説明】
１  試験器、２  本体、３  取付基板、４  回転リング、５  摺動カム、６  包囲筒、８  作動杆、１０  支え金具、１５  蝶ナット、１６  ガスボンベ、３１  凸部、３２  装着孔、３３  摺動溝、３４  ネジ孔、３５  ネジ孔、４０  収縮バネ、４１  凹部、４２  螺旋溝、５１  圧入孔、５２  ピン、５３  円弧爪、６３  縦溝、８０  スタッド、８１  円環部、８２  支持アーム、８３  作動アーム、８４  支持孔、８５  結線孔、Ｂ  着脱機構、Ｌ１  ，Ｌ２    アーム長、ｒ  レバー比、ｗ  ワイヤ。
【図１】
0003586802.tif 000002
【図２】
0003586802.tif 000003
【図３】
0003586802.tif 000004
【図４】
0003586802.tif 000005
【図５】
0003586802.tif 000006
【図６】
0003586802.tif 000007
【図７】
0003586802.tif 000008
【図８】
0003586802.tif 000009
【図９】
0003586802.tif 000010